Podtech/llm-jp-corpus-v4-ja_patent huggingface dataset:
(57)【要約】  建設作業員によって使用される安全帽が開示されている。安全帽は、硬いプラスチックタイプの材料または別の同等な耐衝撃性を有する材料から作られている。安全帽は、一般に既存の野球帽の形状である。安全帽は、安全帽がユーザの頭部にしっかりと快適に適合するように、典型的な野球帽のつば部を受容する中空のつば部を有している。【選択図】図１
2016519227.tif 000002
【特許請求の範囲】
【請求項１】
作業員の頭部を硬い物体の衝撃から保護する安全帽システムであって、
ａ）ユーザの頭部を受容するように構成された堅く耐衝撃性のある材料から作られた中空の準半球部と、
ｂ）堅く耐衝撃性のある材料から作られており、前記中空の準半球部から延びて中空の内部スロットを有する第１のつば部と、
ｃ）第２のつば部を有する従来の柔軟な野球帽であって、前記野球帽が前記第１のつば部から前記中空の準半球部に結合されるように、前記第２のつば部が前記中空の内部スロットに受容されるように構成された従来の柔軟な野球帽と、を備え、
ユーザの頭部にしっかりと快適に適合する、安全帽システム。
【請求項２】
前記中空の準半球部はその内側部に複数の柔軟な発泡帯を有する、請求項１に記載の安全帽システム。
【請求項３】
前記中空の準半球部は複数の通気孔を有する、請求項１に記載の安全帽システム。
【発明の詳細な説明】
【技術分野】
【０００１】
本発明は、建設および関連業務に従業する者を保護するために使用される安全な帽子の分野を対象とし、特に、固定された又は動いている硬い物体からの衝撃に起因する頭部外傷を防止するために使用される帽子の分野を対象とする。
【背景技術】
【０００２】
一般に「保護帽（hard hats）」と呼称される安全ヘルメットおよび他のタイプの装置に対しては多数の利用可能なデザインがある。既存の安全ヘルメットおよび保護帽は、ヘルメットをユーザが快適に着用することを困難にする種々の欠点を抱えている。第１の欠点は、既存の安全ヘルメットのデザインは、特にユーザが下を向くことが必要な活動の際に重力がユーザの頭からヘルメットを外すように引っ張る傾向があるので、ユーザが頭上で状態を維持することが困難であるという事実に関連している。この問題の唯一の解決策は、既存のヘルメットをユーザの頭部の周りに非常にきつく適合させることであるが、これは長時間のシフト勤務の際には不愉快さを生じる。加えて、前述の問題は、既存のデザインは一般に快適ではないことである。
【発明の概要】
【発明が解決しようとする課題】
【０００３】
本発明の第１の目的は、既存の安全ヘルメットのデザインにおけるこれらのおよび他の欠点を除くことである。本発明は、自身の前面から延びるつば部を有する柔軟な野球帽（baseball type cap）と併用して用いられるようにデザインされている。安全ヘルメットの典型的なユーザの多くがまた定期的に野球帽を着用する傾向があるので、本発明は潜在的ユーザの多数に有用であると予期される。以下に記載され、特許請求されるように、本発明は、ヘルメットがユーザの頭部に快適に及びぴったりと受けとめられることができるように野球帽のつば部を受容するように構成された硬い安全ヘルメットを対象としている。
【課題を解決するための手段】
【０００４】
作業員の頭部を硬い物体の衝撃から保護する安全帽システムであって、ユーザの頭部を受容するように構成された中空の準半球部と、その中空の準半球部から延びて中空の内部スロットを有する第１のつば部と、第２のつば部を有する従来の柔軟な野球帽であって、野球帽が第１のつば部から前記中空の準半球部に結合されるように、第２のつば部が前記中空の内部スロットに受容されるように構成された従来の柔軟な野球帽と、を備える。
【図面の簡単な説明】
【０００５】
【図１】本発明の１実施形態の正面等角図である。
【図２】本発明の１実施形態の背面等角図である。
【図３】本発明の１実施形態の底面図である。
【図４】本発明の１実施形態の側面図である。
【図５】本発明の１実施形態と野球帽との相互作用を説明する切欠側面図である。
【図６】本発明の１実施形態の使用を説明する側面図である。
【発明を実施するための形態】
【０００６】
本発明の目下の好ましい実施形態を今から添付図面を参照して述べる。当業者には周知のように添付の特許請求の範囲は、この好ましい実施形態によって限定されるように解釈されてはならない。
【０００７】
図１に示すように、本発明は硬い安全帽１０を対象としている。安全帽１０は、硬質プラスチック、または耐衝撃性を有する同等の保護材料から作られることが期待される。図から分かるように、安全帽１０は、通常、典型的な野球帽の形状および大きさで形成される。安全帽１０はユーザの頭部を受容するように構成された中空内部１４を有する準半球部１２を備えている。つば部１６は準半球部１２の前面から延びている。
【０００８】
準半球部１２はさらに複数の通気孔１８を有する。準半球部１２の内表面１３に配置されているのは複数の発泡体状の柔軟な帯２０であり、この発泡体状の柔軟な帯２０は接着剤または同様の締結手段によって内表面１３に取り付けられている。この発泡帯（foam strips）２０の目的は、安全ヘルメットをユーザの頭部に、より快適におよびしっかりと適合させることである。
【０００９】
つば部１６の詳細を図５に示す。図５から分かるように、つば部１６は中空の内部スロット２２を有する。中空の内部スロット２２は、典型的なユーザの柔軟な野球帽２４のつば部２６を受容するように構成されている。
【００１０】
図５および図６は本発明の安全帽１０の使用について説明する図である。ユーザは、野球帽２４のつば部２６をつば部１６の中空の内部２２に挿入する。ユーザは、それにより野球帽２４を安全帽１０に嵌め込む。野球帽２４および安全帽１０の結合により、ユーザが安全帽１０を安全にかつ快適に着用することができる。
【００１１】
当業者は、本発明の１実施形態の前述の簡単な説明により、添付の特許請求の範囲に記載された本発明の精神及び範囲から逸脱することなく多数の明らかな修正が行われてもよいことを理解するであろう。
【図１】
2016519227.tif 000003
【図２】
2016519227.tif 000004
【図３】
2016519227.tif 000005
【図４】
2016519227.tif 000006
【図５】
2016519227.tif 000007
【図６】
2016519227.tif 000008
【図７】
2016519227.tif 000009
【図８】
2016519227.tif 000010
【図９】
2016519227.tif 000011
【図１０】
2016519227.tif 000012
【国際調査報告】
2016519227.tif 000013
(57)【要約】  本発明は、粉末冶金で製造されたターゲットを用いたアーク析出に関し、構成要素は金属間化合物として存在する。第１金属間化合物と第２金属間化合物を、および／または第１セラミック化合物と第２セラミック化合物を含有する粉末がターゲットの製造のために用いられる。【特許請求の範囲】
【請求項１】
陰極アーク蒸着によって基板をコーティングする方法において、粉末冶金によって製造されるターゲットがアーク蒸着のための材料源として用いられ、ターゲットを製造するのに用いられる粉末が第１の金属間化合物と第２の金属間化合物を含有することを特徴とする方法。
【請求項２】
陰極アーク蒸着によって基板をコーティングする方法において、粉末冶金によって製造されるターゲットがアーク蒸着のための材料源として用いられ、ターゲットを製造するのに用いられる粉末が第１のセラミック化合物、好ましくはＡｌＮと、第２のセラミック化合物、好ましくはＣｒＮを含有することを特徴とする方法。
【請求項３】
ターゲットを製造するのに用いられる粉末が第１のセラミック化合物ＡｌＮであることを特徴とする請求項２に記載の方法。
【請求項４】
ターゲットを製造するのに用いられる粉末が第２のセラミック化合物ＣｒＮであることを特徴とする請求項２又は３に記載の方法。
【請求項５】
ターゲットを製造するのに用いられる粉末が金属間化合物とセラミック化合物を含有することを特徴とする請求項１〜４のいずれか一項に記載の方法。
【発明の詳細な説明】
【技術分野】
【０００１】
本発明は、陰極アーク蒸着をベースとするコーティング方法に関する。
【背景技術】
【０００２】
陰極アーク蒸着は、高いコーティング率でＡｌｘＣｒ１−ｘＮ層などの窒化物を析出するための既知方法である。この方法は、高密度で表面に良好に付着するコーティングを生成するのに使用可能である。しかしながら、コーティングプロセス中、層に組み込まれ層の品質を害するマクロ粒子（小滴）が形成される。小滴形成は、特にターゲットがアルミニウムとクロムの場合のように互いに非常に異なる溶融点を有する少なくとも２種類の金属を含有する場合に、生じる。これに関連して、これら小滴のサイズと数は窒化物の流れを増すことによって減少可能である。
【発明の概要】
【発明が解決しようとする課題】
【０００３】
しかしながら、本発明の目的は、小滴の数とサイズを更に減少することにある。
【課題を解決するための手段】
【０００４】
本発明によれば、構成要素が金属間化合物の形態をしている粉末冶金によって製造されたターゲット（つまり、ターゲットは金属間化合物を含有する粉末を用いて製造される）を用いてアーク蒸着が操作される。そのような金属間化合物の一例はＡｌ８Ｃｒ５である。これによって、例えば、窒素含有雰囲気において６０％のＡｌと４０％のＣｒの金属成分組成を実質的に含有するＣｒＡｌ−Ｃｒ−Ｎ層を生成ことが可能である。例えば、７０％のＡｌと３０％のＣｒの濃度比を有する層が生成されるならば、金属間化合物Ａｌ９Ｃｒ４のターゲットを用いることが可能である。
【０００５】
他の濃度比が生成されるのであれば、本発明の他の実施形態にしたがって、或る金属間化合物の粉末を他の金属間化合物の粉末と混合した粉末冶金によって製造されたターゲットを用いて、アーク蒸着を実行することが可能である。その際、金属成分の原子濃度は２種の粉末の混合比に依存する。
【０００６】
他の実施形態によれば、セラミック化合物ＡｌＮやＣｒＮを含有するターゲットを用いることが可能である。
【発明を実施するための形態】
【０００７】
本発明は以下のことを開示する：
−  陰極アーク蒸着によって基板をコーティングする方法であって、粉末冶金によって製造されるターゲットがアーク蒸着のための材料源として用いられ、ターゲットを製造するのに用いられる粉末が第１の金属間化合物と第２の金属間化合物を含有するような方法。
−  陰極アーク蒸着によって基板をコーティングする方法であって、粉末冶金によって製造されるターゲットがアーク蒸着のための材料源として用いられ、ターゲットを製造するのに用いられる粉末が第１のセラミック化合物、好ましくはＡｌＮと第２のセラミック化合物、好ましくはＣｒＮを含有するような方法。
−  上記した方法であって、第１のセラミック化合物がＡｌＮである、方法。
−  上記した方法であって、第２のセラミック化合物がＣｒＮである、方法。
【０００８】
本発明によれば、幾つかの層を生成するために、上記した方法を用いながら、ターゲットを製造するのに用いられる粉末が金属間化合物とセラミック化合物の両方を含むことも有利である。
【国際調査報告】
2016519218.tif 000002
2016519218.tif 000003
2016519218.tif 000004
2016519218.tif 000005
2016519218.tif 000006
2016519218.tif 000007